【手続補正書】
【提出日】平成20年3月14日(2008.3.14)
【手続補正１】
【補正対象書類名】明細書
【補正対象項目名】特許請求の範囲
【補正方法】変更
【補正の内容】
【特許請求の範囲】
【請求項１】
直流電源と、スイッチング素子の電圧を略ゼロにして該スイッチング素子をターンオン及びターンオフさせるゼロ電圧スイッチング手段を備え、このゼロ電圧スイッチング手段により前記スイッチング素子をターンオン及びターンオフさせて前記直流電源の電圧を交流電圧に変換するインバータと、このインバータの出力側に接続された変圧器と、この変圧器の出力を直流に変換する整流器と、この整流器の出力側に接続された負荷と、この負荷に印加する電圧及び負荷に流す電流の設定信号に応じて上記インバータのスイッチング素子のターンオン、ターンオフのタイミングを制御する手段とを有して成るＤＣ−ＤＣコンバータにおいて、上記インバータに上記ゼロ電圧スイッチング手段の遮断時にこのゼロ電圧スイッチング手段に流れている電流を環流させる電流環流手段を設けたことを特徴とするＤＣ−ＤＣコンバータ。
【請求項２】
上記インバータは、上記直流電源の正極に接続された第一のスイッチ及びその負極に接続された第二のスイッチから成る第一の直列接続体を有すると共に上記正極に接続された第三のスイッチ及びその負極に接続された第四のスイッチから成り上記第一の直列接続体に並列接続された第二の直列接続体を有し且つ上記第一から第四のスイッチにそれぞれ逆並列接続された第一から第四のダイオード及びコンデンサを有すると共に上記第一及び第二のスイッチのスイッチング素子のターンオン及びターンオフ時に前記第一及び第二のダイオードの順方向に電流を供給する第一の補助電流供給手段と、上記第三及び第四のスイッチのスイッチング素子のターンオン及びターンオフ時に前記第三及び第四のダイオードの順方向に電流を供給する第二の補助電流供給手段とを備え、上記電流環流手段は上記第一及び第二の補助電流供給手段に流れている電流を還流させる手段であることを特徴とする請求項１に記載のＤＣ−ＤＣコンバータ。
【請求項３】
上記第一の補助電流供給手段は、上記第一及び第二のスイッチの接続点と上記直流電源の中性点との間に第一のリアクトルと第一の双方向スイッチとの直列接続体を接続して成り、上記第二の補助電流供給手段は、上記第三及び第四のスイッチの接続点と上記直流電源の中性点との間に第二のリアクトルと第二の双方向スイッチの直列接続体を接続して成り、上記電流環流手段は、上記第一及び第二の双方向スイッチをオン状態からオフにした時に上記第一及び第二の補助電流供給手段に流れている電流を還流させる手段であることを特徴とする請求項２に記載のＤＣ−ＤＣコンバータ。
【請求項４】
上記電流還流手段は、上記第一のリアクトルと上記第一の双方向スイッチとの接続点に第一のダイオードのアノードと第二のダイオードのカソードとの直列接続体の接続点を接続し、上記第一のダイオードのカソードを上記直流電源の正極に接続し、上記第二のダイオードのアノードを上記直流電源の負極に接続して成る第一の電流環流手段と、上記第二のリアクトルと上記第二の双方向スイッチとの接続点に第三のダイオードのアノードと第四のダイオードのカソードとの直列接続体の接続点を接続し、上記第三のダイオードのカソードを上記直流電源の正極に接続し、上記第四のダイオードのアノードを上記直流電源の負極に接続して成る第二の電流環流手段とを有して成る請求項３に記載のＤＣ−ＤＣコンバータ。
【請求項５】
上記電流還流手段は、上記第一の双方向スイッチの一端に第一のダイオードのアノードと第二のダイオードのカソードとの直列接続体の接続点を接続し、上記第一のダイオードのカソードを上記直流電源の正極に接続し、上記第二のダイオードのアノードを上記直流電源の負極に接続して成る第一の電流環流手段と、上記第一の双方向スイッチのもう一方の一端に第三のダイオードのアノードと第四のダイオードのカソードとの直列接続体の接続点を接続し、上記第三のダイオードのカソードを上記直流電源の正極に接続し、上記第四のダイオードのアノードを上記直流電源の負極に接続して成る第二の電流環流手段と、上記第二の双方向スイッチの一端に第五のダイオードのアノードと第六のダイオードのカソードとの直列接続体の接続点を接続し、上記第五のダイオードのカソードを上記直流電源の正極に接続し、上記第六のダイオードのアノードを上記直流電源の負極に接続して成る第三の電流環流手段と、上記第二の双方向スイッチのもう一方の一端に第七のダイオードのアノードと第八のダイオードのカソードとの直列接続体の接続点を接続し、上記第七のダイオードのカソードを上記直流電源の正極に接続し、上記第八のダイオードのアノードを上記直流電源の負極に接続して成る第四の電流環流手段とを有して成る請求項３に記載のＤＣ−ＤＣコンバータ。
【請求項６】
上記第一及び第二の双方向スイッチは、それぞれ、スイッチング素子とこのスイッチング素子に逆並列に接続されたダイオードから成る二組みの接続体をこの接続体のスイッチング素子の導通方向が逆になるように直列に接続された接続体で構成して成る請求項３に記載のＤＣ−ＤＣコンバータ。
【請求項７】
上記第一及び第二の双方向スイッチは、それぞれ、４つのダイオードから成る全波整流回路とこの全波整流回路の正極と負極との間にスイッチング素子を設け、この素子の正極を前記全波整流回路の正極に接続し、該スイッチング素子の負極を前記全波整流回路の負極に接続して成る請求項３に記載のＤＣ−ＤＣコンバータ。
【請求項８】
上記電流還流手段は、第一から第三までの三つのダイオードを含む第一の電流環流手段と、第四から第六までの三つのダイオードを含む第二の電流環流手段から成り、上記第一の電流環流手段は、上記第一のダイオードを上記第一の双方向スイッチの二組みの接続体の接続点から上記直流電源の正極に導通するように接続し、上記第二のダイオードを上記直流電源の負極から上記第一の双方向スイッチの一端に導通するように接続し、上記第三のダイオードを上記直流電源の負極から上記第一の双方向スイッチのもう一方の一端に導通するように接続して成り、上記第二の電流環流手段は、上記第四のダイオードを上記第二の双方向スイッチの二組みの接続体の接続点から上記直流電源の正極に導通するように接続し、上記第五のダイオードを上記第二の双方向スイッチの一端に導通するように接続し、上記第六のダイオードを上記直流電源の負極から上記第二の双方向スイッチのもう一方の一端に導通するように接続して成る請求項６に記載のＤＣ−ＤＣコンバータ。
【請求項９】
上記電流還流手段は、第一と第二のダイオードを含む第一の電流環流手段と、第三と第四のダイオードを含む第二の電流環流手段とから成り、上記第一の電流環流手段は、上記第一のダイオードを上記第一の双方向スイッチの二組みの接続体の接続点から上記直流電源の正極に導通するように接続し、上記第二のダイオードを上記直流電源の負極から上記第一の双方向スイッチの一端に導通するように接続し、上記第二の電流環流手段は、上記第三のダイオードを上記第二の双方向スイッチの二組みの接続体の接続点から上記直流電源の正極に導通するように接続し、上記第四のダイオードを上記直流電源の負極から上記第二の双方向スイッチの一端に導通するように接続して成る請求項６に記載のＤＣ−ＤＣコンバータ。
【請求項１０】
上記電流還流手段は、第一から第三までの三つのダイオードを含む第一の電流環流手段と、第四から第六までの三つのダイオードを含む第二の電流環流手段から成り、上記第一の電流環流手段は、上記第一と第二のダイオードをそれぞれ上記第一の双方向スイッチの両端から上記直流電源の正極に導通するように接続し、上記第三のダイオードを上記直流電源の負極から上記双方向スイッチの二組みの接続体の接続点に導通するように接続し、上記第二の電流環流手段は、上記第四と第五のダイオードをそれぞれ上記第二の双方向スイッチの両端から直流電源の正極に導通するように接続し、上記第六のダイオードを上記直流電源の負極から上記双方向スイッチの二組みの接続体の接続点に導通するように接続して成る請求項６に記載のＤＣ−ＤＣコンバータ。
【請求項１１】
上記電流還流手段は、第一と第二の二つダイオードを含む第一の電流環流手段と、第三から第四までの二つのダイオードを含む第二の電流環流手段から成り、上記第一の電流環流手段は、上記第一のダイオードを上記第一の双方向スイッチの一端から上記直流電源の正極に導通するように接続し、上記第二のダイオードを上記直流電源の負極から上記双方向スイッチの二組みの接続体の接続点に導通するように接続し、上記第二の電流環流手段は、上記第三のダイオードを上記第二の双方向スイッチの一端から上記直流電源の正極に導通するように接続し、上記第四のダイオードを上記直流電源の負極から上記双方向スイッチの二組みの接続体の接続点に導通するように接続して成る請求項６に記載のＤＣ−ＤＣコンバータ。
【請求項１２】
上記電流還流手段は、第一と第二の二つダイオードを含む第一の電流環流手段と、第三と第四の二つのダイオードを含む第二の電流環流手段から成り、上記第一の電流環流手段は、上記第一のダイオードを上記第一の双方向スイッチの正極から上記直流電源の正極に導通するように接続し、上記第二のダイオードを上記直流電源の負極から上記双方向スイッチの負極に導通するように接続し、上記第二の電流環流手段は、上記第三のダイオードを上記第二の双方向スイッチの正極から上記直流電源の正極に導通するように接続し、上記第四のダイオードを上記直流電源の負極から上記双方向スイッチの負極に導通するように接続して成る請求項７に記載のＤＣ−ＤＣコンバータ。
【請求項１３】
上記請求項１から１２に記載のＤＣ−ＤＣコンバータの負荷はＸ線管であることを特徴とするＸ線高電圧装置。